(57)【要約】【課題】蓋体の裏面に付着する液体の量を少なくすることを目的とし、粘性の高い液体でも蓋体の裏面に付着する量を減少させると共に、蓋体内面に僅かに残った液体は何時間でも保持することで完全に液垂れを防止することができる液垂れ防止用キャップの提供を目的とする。【解決手段】嵌合片２の内周面から蓋体１中央に向けて延長され、蓋体の中央部近傍に至る液切片３を形成する。該液切片３相互の間隔を開けて蓋体１内面に複数枚垂設する。該液切片３を、前記嵌合片２との連続部分から蓋体１中央に向かって次第に低くなるように設ける。【選択図】図１
2005212836.tif 000002
【特許請求の範囲】
【請求項１】
容器の口部内側に嵌合する略リング状の嵌合片を蓋体内面に突設したキャップにおいて、嵌合片の内周面から蓋体中央に向けて延長され、蓋体の中央部近傍に至る液切片を形成し、該液切片相互の間隔を開けて蓋体内面に複数枚垂設したことを特長とする液垂れ防止用キャップ。
【請求項２】
前記液切片は、前記嵌合片との連続部分から蓋体中央に向かって次第に低くなるように設けられた請求項１記載の液垂れ防止用キャップ。
【請求項３】
前記キャップは、容器の口部に装着して注出口を形成するキャップ体と、該キャップ体の一端にヒンジを介して連結された蓋体とからなるヒンジ付きキャップとする請求項１又は２記載の液垂れ防止用キャップ。
【請求項４】
前記ヒンジ付きキャップにおいて、ヒンジから略垂直に持ち上げられた前記蓋体の中心部を通る鉛直線に沿って前記液切片の位置が重ならないように液切片を配設した請求項１乃至３いずれか記載の液垂れ防止用キャップ。
【請求項５】
前記キャップは、容器の口部に装着して注出口を形成するキャップ体と、該キャップ体の外周に設けたネジ部を介して連結された蓋体とからなるネジ付きキャップとする請求項１又は２記載の液垂れ防止用キャップ。
【発明の詳細な説明】
【技術分野】
【０００１】
本発明は、主に、食用油、ドレッシング、ソース、めんつゆ、たれ等の液状物を収納する容器に装着して施蓋する液垂れ防止用キャップに関する。
【背景技術】
【０００２】
液垂れ防止を目的とするキャップとして、例えば特許文献１乃至特許文献３に記載されたキャップが提案されている。
【０００３】
特許文献１のキャップは、蓋体の裏面に円弧板状の液ダレ防止用舌片を設けたものである。この液ダレ防止用舌片は、蓋体内面に垂設されて注出筒に嵌合する嵌合筒を設け、該嵌合筒の後部中央下面から円弧板状に突出形成したものである。
【０００４】
特許文献２のキャップには、蓋体頂壁裏面より垂設し、且つ、下端縁を容器開口部の内側面に圧接させた嵌合筒と、該嵌合筒内がわに放射状に突設し且つ蓋体中央を頂点とする下向き山形状に形成した多数のリブとから構成した液垂れ防止機構を設けたキャップが記載されている。
【０００５】
特許文献３のキャップには、蓋体頂壁の内面に、蓋体の閉状態において注出筒の内周面に密接して注出口を密閉する栓筒片が突設されると共に、栓筒片の内方部分の後端部（ヒンジ側部分）に、相互間に内容液を付着保持可能な間隔で、三枚の平板状の液溜め片が前後方向に平行に突設されたものが記載されている。
【０００６】
いずれのキャップも、注出キャップの蓋体内面に付着した内容液が、注出時において液垂れしないようにすることを技術的課題とし、特に、内容液注出時に、半開きとなった蓋体内面からの液垂れを防止し、容器の外面や周辺を汚すことなく注出できる注出キャップの提供を目的とするものである。
【特許文献１】特開平８−３２４６１７号公報
【特許文献２】特開平９−１２０４９号公報
【特許文献３】特開２００１−１０６２５１号公報
【発明の開示】
【発明が解決しようとする課題】
【０００７】
特許文献１のキャップに記載された液ダレ防止用舌片よると、容器を振って収納液を攪拌混合した後、注出を行う場合、蓋体を開いたときに、液ダレ防止用舌片は水平状態から起立状態に回動する。そして、蓋体内面に付着した液体は、この円弧板状の液ダレ防止用舌片へ流下するので、液体がキャップ本体上へ垂れるのを防止する。ところが、キャップの一部に液ダレ防止用舌片を設けているので、容器を傾ける際に、この液ダレ防止用舌片を設けている方向へ常に傾ける必要がある。仮に、この方向と異なった方向へ容器を傾けると、この液ダレ防止用舌片に集まった液がこぼれてしまう虞がある。したがって、使用者は、常に液ダレ防止用舌片の向きに注意を払いながら使用しなければならないといった不都合が生じるものである。
【０００８】
特許文献２のキャップに記載された液垂れ防止機構では、蓋体内面に付着する液体を、多数のリブにより画成された小部屋に分散すると共に、閉蓋時に各小部屋内の液体を中央に集めて、各リブの中央頂点より容器体内へ流下するものとして構成されている。ところが、このような液垂れ防止機構の構造では、放射状に突設し且つ中央を頂点とする下向き山形状に形成した多数のリブが、多量の油分を保持することになる。すなわち、各リブが中央部分で連続しているため、この中央部分に構成された放射状の間隙が、液体の表面張力を高めてしまう。この結果、蓋体内面に付着した液体は、この中央部分に多量に保持された状態となる。しかも、このように保持された多量の液体は、一時的に保持されていても、液体注出時に、蓋体を半開きにすると、傾いた蓋体の中央部分からゆっくりと流れはじめ、多量の液体が移動することになる。この結果、このような事情を知らずに、キャッブを半開きにして放置していると、キャップの周囲に多量の液垂れが生じることになる。
【０００９】
特許文献３のキャップに記載された平板状の液溜め片では、平行に並べた複数枚の液溜め片の間に液体を保持する構造である。この液溜め片は、液体の表面張力を利用して保持するので、前記特許文献１の液ダレ防止用舌片のように、容器の傾きを心配する必要はない。しかしながら、蓋体内面に付着した液体が全て液ダレ防止用舌片に集まると、表面張力の許容量を越えた時点で液溜め片から液体が溢れ出る虞があった。したがって、キャッブを半開きにして放置していると、前記特許文献２の如く、キャップの周囲に多量の液垂れが生じることになる。
【００１０】
このように、従来の液垂れ防止を目的とするキャップでは、いずれも蓋体の裏面に付着する液体、特に粘性の高い油分等の量が多くなることが原因で、液垂れを完全に防止することが困難であった。
【００１１】
そこで本発明は上述の課題を解消すべく創出されたもので、従来の如く、蓋体内面に付着した液体を蓋体の一部に保持するのではなく、蓋体の裏面に付着する液体の量を少なくすることを目的とするもので、特に、食用油、ドレッシング、ソースなど粘性の高い液体でも蓋体の裏面に付着する量を減少させると共に、蓋体内面に僅かに残った液体を何時間でも保持できるようにすることで、液垂れ防止を確実にすることができる液垂れ防止用キャップの提供を目的とする。
【課題を解決するための手段】
【００１２】
本発明の第１の手段は、容器の口部内側に嵌合する略リング状の嵌合片２を蓋体１内面に突設したキャップにおいて、嵌合片２の内周面から蓋体１中央に向けて延長され、蓋体の中央部近傍に至る液切片３を形成し、該液切片３相互の間隔を開けて蓋体１内面に複数枚垂設したことにある。
【００１３】
第２の手段において、前記液切片３は、前記嵌合片２との連続部分から蓋体１中央に向かって次第に低くなるように設けている。
【００１４】
第３の手段における前記キャップは、容器の口部に装着して注出口６を形成するキャップ体５と、該キャップ体の一端にヒンジ４を介して連結された蓋体１とからなるヒンジ付きキャップとして形成されるものである。
【００１５】
第４の手段は、前記ヒンジ付きキャップにおいて、ヒンジ４から略垂直に持ち上げられた前記蓋体１の中心部を通る鉛直線Ｘに沿って前記液切片３の位置が重ならないように液切片３を配設する。
【００１６】
第５の手段の前記キャップは、容器の口部に装着して注出口を形成するキャップ体と、該キャップ体の外周に設けたネジ部を介して連結された蓋体１とからなるネジ付きキャップとして形成されることを課題解消のための手段とする。
【発明の効果】
【００１７】
本発明の請求項１により、蓋体の中央部近傍に至る液切片３を形成し、該液切片３相互の間隔を開けて蓋体１内面に複数枚垂設したことで、蓋体１の裏面に付着した液体のほとんどは、僅かな時間で液切片３を伝って容器内部に戻るので、蓋体１の裏面に付着する液体の量を少なくすることが可能になった。この結果、蓋体内面に僅かに残った液体は、蓋体が半開きの状態で放置されても表面張力で各液切片３相互間に何時間でも保持することが可能になり、完全に液垂れを防止することができるものである。
【００１８】
本発明の請求項２により、液切片３の高さを、嵌合片２との連続部分から蓋体１中央に向かって次第に低くなるように設けているので、蓋体１の裏面に付着した液体は、この液切片３と、液切片３に連続する嵌合片２とを伝って短時間で容器内部に戻るものである。また、僅かに残った液体は、蓋体１を半開きの状態にすると、液切片３の嵌合片２に近い部分に集まるが、各液切片３で仕切られたスペース内で、蓋体１の裏面と液切片３の側面と嵌合片２の側面とに囲まれた状態で表面張力が作用するので、液体は強固に保持されており、蓋体１を半開きのまま放置していても蓋体１裏側の液体が垂れることはない。
【００１９】
請求項３、４における本発明キャップは、ヒンジ付きキャップのヒンジ４から略垂直に持ち上げられた前記蓋体１の中心部を通る鉛直線Ｘに沿って前記液切片３の位置が重ならないように液切片３を配設している。液切片３をこのように配設することにより、蓋体１を半開きの状態にした際に、この液切片３に沿って液体が滴下するのを防止できる。この結果、たとえ僅かな液体であっても、蓋体１内面から垂れるのを防止できる。
【００２０】
更に、請求項５における如く、本発明キャップは、容器の口部に装着して注出口を形成するキャップ体と、該キャップ体の外周に設けたネジ部を介して連結された蓋体１とからなるネジ付きキャップとしても、蓋体１からの液垂れを防止することが可能になる。
【００２１】
このように、本発明によると、食用油、ドレッシングなど粘性の高い液体でも蓋体の内面に付着する液体の量を少なくすることが可能になり、また、蓋体内面に僅かに残った液体は蓋体が半開きの状態で放置されたとしても長時間保持することができるので、蓋体内面からの液垂れ防止を確実にすることができるものである。
【発明を実施するための最良の形態】
【００２２】
本発明の最良の形態は、嵌合片２の内周面から蓋体１中央に向けて延長し、蓋体の中央部近傍に至る液切片３を蓋体１内面に複数枚垂設する。この液切片３を、前記嵌合片２との連続部分から蓋体１中央に向かって次第に低くなるように設けることで、当初の目的を達成するものである。
【実施例】
【００２３】
本発明キャップは、蓋体１の裏面に設けられている嵌合片２から延長される複数枚の液切片３により構成されるものである（図１参照）。また本発明キャップは、所謂ヒンジ付きキャップ及びネジ付きキャップのいずれの形態にも適用できるものであるが、図示例では、容器の口部に装着して注出口を形成するキャップ体５と、該キャップ体の一端にヒンジ４を介して連結された蓋体１とからなるヒンジ付きキャップの実施例に基いて説明する。
【００２４】
嵌合片２は、軟質性合成樹脂材の蓋体１内面に突設されるもので、容器の口部に装着したキャップ体５の略筒状を成した注出口６内側に嵌合する略リング状を成す（図１参照）。この嵌合片２は、一般のキャップに多く設けられている構造で、例えば、予めキャップ体５の口部に装着しているピルファーリング（図示せず）を開封した後、略筒状を成した注出口６を密封できるように構成されている（図４参照）。
【００２５】
液切片３は、この嵌合片２から延長形成されるものであり、嵌合片２の内周面から蓋体１中央に向けて設けられている（図１参照）。この液切片３は、蓋体の中央部近傍に至る板体状を成し、隣接する液切片３相互の間隔を開けて蓋体１内面に複数枚垂設する。更に、この液切片３は、前記嵌合片２との連続部分から蓋体１中央に向かって次第に低くなるように設けられている（図２参照）。図示の液切片３は、嵌合片２と接する部分を嵌合片２と同じ高さに形成し、蓋体１の中央方向に傾斜するように設けている。また、蓋体１の内面と液切片３の傾斜した先端部との接触部分にかけて傾斜角度を緩やかに設けている。このように液切片３を形成することで、蓋体１の内面に付着した液体を、液切片３と嵌合片２とに沿って容器内部に極めて迅速に戻すことができる。
【００２６】
図５に示す液切片３は、本発明キャップにおいて、唯一液垂れが生じる可能性がある状態である。すなわち、図５に示す液切片３は、蓋体１をヒンジ４から略垂直に持ち上げたときに、蓋体１の中心部を通る鉛直線Ｘに沿って前記液切片３の位置が重なっている。液切片３がこの位置に配設されていると、極めて僅かではあるが、液切片３の端部から液体が滴下する可能性がある。したがって、液切片３の配設位置は、少なくとも、図５に示す如く、蓋体１の中心部を通る鉛直線Ｘに沿って重なる位置を避けるようにする。
【００２７】
液切片３の好適な配設位置を図１に示す。このように蓋体１をヒンジ４から略垂直に持ち上げたときに、蓋体１の中心部を通る鉛直線Ｘに液切片３が重ならないように配置することで、液切片３と嵌合片２及び蓋体１内面が一つのスペースを形成し、残った僅かな液体は、図３に示す如く、液体抽出時は勿論、図４に示す如く、蓋体１を半開きの状態で放置したままでも、このスペース内に表面張力で保持される。その為、液切片３の数を多くするほど液切片３相互の間隔が狭まり、しかも仕切られたスペースが多くなるので残留した液体を保持するのに好適になる。図示例では、食用油用容器のキャップとして、１０枚の液切片３を設けることで、蓋体１内面に付着した油の戻りが速く、しかも残留した油の保持に好適になるように設定しているが、液体の種類、キャップのサイズ及び材質などに応じて液切片３の数を任意に変更できるものである。
【００２８】
また、蓋体１の中央部に近い液切片３の先端は、液切片３の基端部よりも低く形成されており、蓋体１の中央部に付着した液体を液切片３から嵌合片２に導く作用を奏する。その為、この液切片３先端を蓋体１の中央部に近付けるほど液体の切れが良好になる傾向がある。ところが、各液切片３の先端が、他の液切片３の先端に接触すると、この接触部分に液体が停滞するので、各液切片３の先端はすべて独立状態にする必要がある。このとき、液切片３の先端があまり近付き過ぎると、先端部相互間に液体が停滞する現象も生じることになる。したがって、蓋体１内面の中央部位は、液体が停滞しない程度の空きスペースを残すのが好ましい。
【００２９】
尚、実施例では、容器の口部に装着して注出口６を形成するキャップ体５と、該キャップ体５の一端にヒンジ４を介して連結された蓋体１とからなるヒンジ付きキャップに基いて説明したが、前述の如く、本発明キャップは図示例の他、容器の口部に装着して注出口を形成するキャップ体と、該キャップ体の外周に設けたネジ部を介して連結された蓋体１とからなるネジ付きキャップとして採用することも可能である。また、王冠の如く、容器の口部に直接被着するキャップとして形成することも可能である。この場合、嵌合片２は容器の口部内側に直接嵌合するものとなる。
【００３０】
このように、本発明における図示例の各構成は、本発明の一実施例に過ぎず、液切片３の長さや厚みなどの寸法における設計変更は勿論のこと、本発明キャップの形状、寸法等の設計変更、材質の転換及び形態の変更など、現在知られている技術範囲で自由に変更することができるものである。
【図面の簡単な説明】
【００３１】
【図１】本発明における蓋体の一実施例を示す底面図である。
【図２】本発明における蓋体の一実施例を示す縦断面図である。
【図３】本発明の使用状態を示す斜視図である。
【図４】本発明の蓋体を半開きにした状態を示す斜視図である。
【図５】本発明における液切片の好ましくない配置位置を示す底面図である。
【符号の説明】
【００３２】
Ｘ  蓋体の中心部を通る鉛直線
１  蓋体
２  嵌合片
３  液切片
４  ヒンジ
５  キャップ体
６  注出口
【図１】
2005212836.tif 000003
【図２】
2005212836.tif 000004
【図３】
2005212836.tif 000005
【図４】
2005212836.tif 000006
【図５】
2005212836.tif 000007